Podtech/llm-jp-corpus-v4-ja_patent huggingface dataset:
【手続補正書】
【提出日】平成20年10月31日(2008.10.31)
【手続補正１】
【補正対象書類名】特許請求の範囲
【補正対象項目名】全文
【補正方法】変更
【補正の内容】
【特許請求の範囲】
【請求項１】
血清リン酸塩を低下させる必要がある被験体において、血清リン酸塩を低下させるための医薬の製造における、少なくとも52ミリモルのリン酸塩結合能力を有するリン酸塩結合剤の使用。
【請求項２】
リン酸塩結合剤が最も大きい食事の前または後に投与される、請求項１記載の使用。
【請求項３】
リン酸塩結合剤が反復投薬単位として投与される、請求項１記載の使用。
【請求項４】
リン酸塩結合剤が単回投薬単位として投与される、請求項１記載の使用。
【請求項５】
リン酸塩結合剤が少なくとも104ミリモルのリン酸塩結合能力を有する、請求項１記載の使用。
【請求項６】
血清リン酸塩を低下させる必要がある被験体において、血清リン酸塩を低下させるための医薬の製造における、少なくとも2gの脂肪族アミンポリマーの使用。
【請求項７】
脂肪族アミンポリマーが、
【化１】
2008518949.tif 000001
（式中、
yは0、または１以上の整数である;
R、R1、R2およびR3は、独立して、H、置換もしくは非置換のアルキル基またはアリール基である;ならびに
X-は、交換可能な負に帯電した対イオンである）
からなる群より選択される式で表される１つ以上の繰り返し単位を含む、請求項６記載の使用。
【請求項８】
脂肪族アミンポリマーが多官能性架橋剤によって架橋されている、請求項７記載の使用。
【請求項９】
脂肪族アミンポリマーがポリアリルアミンである、請求項８記載の使用。
【請求項１０】
脂肪族アミンポリマーが最も大きい食事の前または後に投与される、請求項７記載の使用。
【請求項１１】
脂肪族アミンポリマーが反復投薬単位として投与される、請求項７記載の使用。
【請求項１２】
脂肪族アミンポリマーが単回投薬単位として投与される、請求項７記載の使用。
【請求項１３】
少なくとも2g〜10gの脂肪族アミンポリマーを前記被験体に投与する、請求項７記載の使用。
【請求項１４】
血清リン酸塩を低下させる必要がある被験体において、血清リン酸塩を低下させるための医薬の製造における、少なくとも2gのセベラマーの使用。
【請求項１５】
セベラマーが最も大きい食事の前または後に投与される、請求項１４記載の使用。
【請求項１６】
セベラマーが反復投薬単位として投与される、請求項１４記載の使用。
【請求項１７】
セベラマーが単回投薬単位として投与される、請求項１４記載の使用。
【請求項１８】
単回投薬単位が、サシェ、スラリー、懸濁液または食品配合物である、請求項１２または１７記載の使用。
【請求項１９】
少なくとも2g〜10gのセベラマーが前記被験体に投与される、請求項１４記載の使用。
【請求項２０】
前記被験体に粘膜接着剤を投与することをさらに含む、請求項６または１４記載の使用。
【請求項２１】
粘膜接着剤が、セルロース誘導体、トラガカント、カラヤ、合成および天然に存在するガム、ポリビニルピロリドン、ポリビニルアルコール、ならびにポリアクリル酸を含む群から選択される、請求項２０記載の使用。
【請求項２２】
粘膜接着剤がポリアクリル酸である、請求項２１記載の使用。
【請求項２３】
血清リン酸塩を低下させる必要がある被験体において、血清リン酸塩を低下させるための医薬の製造における、少なくとも0.5gのランタン塩の使用。
【請求項２４】
ランタン塩が最も大きい食事の前または後に投与される、請求項２３記載の使用。
【請求項２５】
ランタン塩が反復投薬単位として投与される、請求項２３記載の使用。
【請求項２６】
ランタン塩が単回投薬単位として投与される、請求項２３記載の使用。
【請求項２７】
単回投薬単位が、錠剤、カプセル、サシェ、スラリー、懸濁液または食品配合物である、請求項４または２６記載の使用。
【請求項２８】
ランタン塩が炭酸ランタンである、請求項２３記載の使用。
【請求項２９】
少なくとも0.5g〜5gの炭酸ランタンが前記被験体に投与される、請求項２８記載の使用。
【請求項３０】
前記被験体に粘膜接着剤を投与することをさらに含む、請求項２３記載の使用。
【請求項３１】
少なくとも2gの脂肪族アミンポリマーまたは薬学的に許容され得るその塩を含み、錠剤、サシェ、スラリー、懸濁液または食品配合物である、経口投薬単位。
【請求項３２】
脂肪族アミンポリマーが、
2008518949.tif 000002
2008518949.tif 000003
（式中、
yは0、または１以上の整数である;
R、R1、R2およびR3は、独立して、H、置換もしくは非置換のアルキル基またはアリール基である;ならびに
X-は、交換可能な負に帯電した対イオンである）
からなる群より選択される式で表される１つ以上の繰り返し単位を含む、請求項３１記載の経口投薬単位。
【請求項３３】
脂肪族アミンポリマーが多官能性架橋剤によって架橋されている、請求項３２記載の経口投薬単位。
【請求項３４】
脂肪族アミンポリマーがポリアリルアミンである、請求項３３記載の経口投薬単位。
【請求項３５】
経口投薬量が少なくとも2g〜10gの脂肪族アミンポリマーを含む、請求項３２記載の経口投薬単位。
【請求項３６】
少なくとも2gのセベラマーまたは薬学的に許容され得るその塩を含み、錠剤、サシェ、スラリー、懸濁液または食品配合物である、経口投薬単位。
【請求項３７】
経口投薬単位がサシェである、請求項３２または３６記載の経口投薬単位。
【請求項３８】
経口投薬量が少なくとも2g〜10gのセベラマーを含む、請求項３６記載の経口投薬単位。
【請求項３９】
少なくとも0.5gの薬学的に許容され得るランタン塩を含み、錠剤、サシェ、スラリー、懸濁液または食品配合物である、経口投薬単位。
【請求項４０】
経口投薬単位が錠剤である、請求項３９記載の経口投薬単位。
【請求項４１】
経口投薬単位が少なくとも0.5g〜5gのランタン塩を含む、請求項３９記載の経口投薬単位。
【手続補正書】
【提出日】平成20年10月27日(2008.10.27)
【手続補正１】
【補正対象書類名】特許請求の範囲
【補正対象項目名】全文
【補正方法】変更
【補正の内容】
【特許請求の範囲】
【請求項１】
約１００mgから約１５００mg；
約３００mgから約１５００mg；
約３００mgから約１２５０mg；
約４５０mg；
約７５０mg；または
約１２５０mgのＶＸ−９５０、またはその薬学的に許容される塩を、１日当たり１回、２回または３回投与する治療レジメンでウイルス感染を処置または予防するための医薬組成物。
【請求項２】
前記ＶＸ−９５０、またはその薬学的に許容される塩が、約３００mgから約１５００mg；または、約３００mgから約１２５０mgである、請求項１に記載の医薬組成物。
【請求項３】
前記ＶＸ−９５０、またはその薬学的に許容される塩が、約４５０mg；
約７５０mg；または、
約１２５０mgである、請求項２に記載の医薬組成物。
【請求項４】
前記ＶＸ−９５０量を１日１回投与するための、請求項２または３に記載の医薬組成物。
【請求項５】
前記ＶＸ−９５０量を１日２回投与するための、請求項２または３に記載の医薬組成物。
【請求項６】
前記ＶＸ−９５０量を１日３回投与するための、請求項２または３に記載の医薬組成物。
【請求項７】
該医薬組成物が、α−、β−、またはγ−インターフェロンまたはチモシンである免疫調節剤；リバビリン、アマンタジン、またはテルビブジンである抗ウイルス剤；ＨＣＶ ＮＳ３／４Ａプロテアーゼの他の阻害剤；ＨＣＶヘリカーゼ、ポリメラーゼ、またはメタロプロテアーゼの阻害剤であるＮＳ３／４Ａプロテアーゼ以外のＨＣＶ生活環における標的の阻害剤；内部リボソーム侵入の阻害剤；広域ウイルス阻害剤；他のシトクロムＰ−４５０阻害剤；ウイルスの細胞侵入阻害剤；または、それらの組合せ、から選択されるさらなる薬剤を含む、請求項２から６のいずれか一項に記載の医薬組成物。
【請求項８】
約７５０mgのＶＸ−９５０を、１日３回、８時間毎に患者に投与するための、Ｃ型肝炎ウイルスに感染した患者の処置に使用するための医薬組成物。
【請求項９】
血漿中Ｃ型肝炎ウイルスＲＮＡの少なくとも約２ｌｏｇ１０、または少なくとも約４ｌｏｇ１０の減少が達成されるのに有効な量のＶＸ−９５０を患者に投与するための、Ｃ型肝炎ウイルスに感染した患者の処置に使用するための医薬組成物。
【請求項１０】
Ｃ型肝炎ウイルスＲＮＡが血漿中検出不可能なレベルまで減少するのに有効な量のＶＸ−９５０を患者に投与するための、Ｃ型肝炎ウイルスに感染した患者の処置に使用するための医薬組成物。
【請求項１１】
持続的ウイルス応答を達成するのに有効な量のＶＸ−９５０を含む、Ｃ型肝炎ウイルスに感染した患者の処置に使用するための医薬組成物。
【請求項１２】
遺伝子型１型のＣ型肝炎ウイルスに感染している患者の処置に使用するための、請求項２から１１のいずれか一項に記載の医薬組成物。
【請求項１３】
１日約１３５０mg（例えば、約４５０mg、８時間毎）、１日約２２５０mg（例えば、約７５０mg、８時間毎）、または１日約２５００mg（例えば、約１２５０mg、１２時間毎）のＶＸ−９５０を患者に投与するための、患者における肝臓障害、肝炎、脂肪症、脂肪肝、ＮＡＦＬＤ、ＮＡＳＨ、アルコール性脂肪症、またはライ症候群の処置に使用するための医薬組成物。
【請求項１４】
１日約１３５０mg（例えば、約４５０mg、８時間毎）、１日約２２５０mg（例えば、約７５０mg、８時間毎）、または１日約２５００mg（例えば、約１２５０mg、１２時間毎）のＶＸ−９５０を患者に投与するための、患者の肝保護のための医薬組成物。
【請求項１５】
ＶＸ−９５０を含む、患者のＡＬＴ(alanine aminotransferase)レベルを減少させるための医薬組成物。
【請求項１６】
ＶＸ−９５０を含む、高ＡＬＴレベルを有する患者においてＡＬＴレベルを正常化するための医薬組成物。
【請求項１７】
１日約１３５０mg（例えば、約４５０mg、８時間毎）、１日約２２５０mg（例えば、約７５０mg、８時間毎）、または１日約２５００mg（例えば、約１２５０mg、１２時間毎）のＶＸ−９５０を患者に投与するための、請求項１５または１６に記載の医薬組成物。
【請求項１８】
ＨＣＶに感染している患者に使用するための、請求項１３から１７のいずれか一項に記載の医薬組成物。
【請求項１９】
ＨＣＶに感染していない患者に使用するための、請求項１３から１７のいずれか一項に記載の医薬組成物。
【請求項２０】
ＶＸ−９５０を含む剤形をヒトに投与するための医薬組成物であって、ここで該剤形が、投与後、少なくとも約７５０ng/mLのＶＸ−９５０の平均血漿濃度（Ｃａｖｇ）を該ヒトに提供する、医薬組成物。
【請求項２１】
ＶＸ−９５０の平均血漿濃度（Ｃａｖｇ）が、投与後、約７５０ng/mLから約１２５０ng/mLである、請求項２０に記載の医薬組成物。
【請求項２２】
ＶＸ−９５０の平均血漿濃度（Ｃａｖｇ）が、投与後、約１０００ng/mLである、請求項２１に記載の医薬組成物。
【請求項２３】
前記Ｃａｖｇが、投与後３時間以内、２時間以内、または１時間以内に得られる／達成される、請求項２０から２２のいずれか一項に記載の医薬組成物。
【請求項２４】
ＶＸ−９５０の血漿中トラフ濃度を、２４時間の間、７５０ng/mLの最低レベルから約１５００ng/mLまでの間に達成することをさらに含む、請求項２０から２３のいずれか一項に記載の医薬組成物。
【請求項２５】
ＨＣＶ感染を有するヒトにおいて、２４時間の間に、ＶＸ−９５０を含む少なくとも１個の剤形を該ヒトに投与するための医薬組成物であって、ここで、前記剤形を、２４時間の間、少なくとも約７５０ng/mLのＶＸ−９５０の血漿中トラフ濃度を達成するために投与するための、医薬組成物。
【請求項２６】
前記剤形を、２４時間の間、約７５０ng/mLから約１５００ng/mLまで、または約１０００ng/mLから約１５００ng/mLまでのＶＸ−９５０の血漿中トラフ濃度を達成するために投与するための、請求項２５に記載の医薬組成物。
【請求項２７】
ＶＸ−９５０を約７５０mgの量で剤形中に含む、請求項２０から２６のいずれか一項に記載の医薬組成物。
【請求項２８】
前記剤形を１日３回投与するための、請求項２７に記載の医薬組成物。
【請求項２９】
Ｃａｖｇおよびトラフ濃度の一方または両方を、約１２週間維持する、請求項２０から２８のいずれか一項に記載の医薬組成物。
【請求項３０】
インターフェロンを投与する段階をさらに含む方法に使用するための、請求項２から２９のいずれか一項に記載の医薬組成物。
【請求項３１】
前記インターフェロンが、ＰＥＧ化インターフェロンである、請求項３０に記載の医薬組成物。
【請求項３２】
リバビリンを投与する段階をさらに含む方法に使用するための、請求項３０または３１に記載の医薬組成物。
【請求項３３】
本明細書中の実施例６に記載の通りに製剤されるＶＸ−９５０を含む、医薬組成物。
【手続補正書】
【提出日】平成20年10月20日(2008.10.20)
【手続補正１】
【補正対象書類名】特許請求の範囲
【補正対象項目名】全文
【補正方法】変更
【補正の内容】
【特許請求の範囲】
【請求項１】
以下の式II、IIIおよびIVからなる群から選択される構造式を有する化合物、またはその塩、エステルもしくはプロドラッグ：
【化１】
2008518912.tif 000001
［式中、
Ｇ１は、‐（ＣＲ１Ｒ２）ｎ‐、‐Ｚ（ＣＲ１Ｒ２）ｎ‐、‐（ＣＲ１Ｒ２）ｎＺ‐、‐（ＣＲ１Ｒ２）ｒＺ（ＣＲ１Ｒ２）ｓ‐からなる群より選択され、
Ｚは、Ｏ、ＳまたはＮＲであり、
ｎは、０、１、または２であり、
ｒおよびｓは、独立して０または１であり、
Ｒ１およびＲ２は、水素、ハロ、置換されていてもよい低級アルキル基、置換されていてもよい低級へテロアルキル基、置換されていてもよい低級アルコキシ基、および低級ペルハロアルキル基からなる群より独立して選択されるか、または一緒になって置換されていてもよいシクロアルキル基を形成してもよく、
Ｘ１、Ｘ２、およびＸ３は、水素、置換されていてもよい低級アルキル基、置換されていてもよいシクロアルキル基、ハロゲン、ペルハロアルキル基、ヒドロキシ基、置換されていてもよい低級アルコキシ基、ニトロ基、シアノ基、およびＮＨ２からなる群より独立して選択され、
Ｇ２は、Ｘ４およびＸ５で置換されていてもよい、飽和または不飽和のシクロアルキルまたはヘテロシクロアルキルリンカーより選択され、
Ｘ４およびＸ５は、水素、置換されていてもよい低級アルキル基、ハロゲン、低級ペルハロアルキル基、ヒドロキシ基、置換されていてもよい低級アルコキシ基、ニトロ基、シアノ基、ＮＨ２、およびＣＯ２Ｒからなる群より独立して選択されるか、またはＸ４およびＸ５は一緒になって炭素環を形成してもよく、
Ｒは、置換されていてもよい低級アルキル基および水素からなる群より選択され、
Ｇ３は、単結合、二重結合、‐（ＣＲ３Ｒ４）ｍ‐、カルボニル基、および‐（ＣＲ３Ｒ４）ｍＣＲ３＝ＣＲ４‐からなる群より選択され、
ｍは、０、１、または２であり、
Ｒ３およびＲ４は、水素、置換されていてもよい低級アルキル基、置換されていてもよい低級アルコキシ基、置換されていてもよいアリール基、低級ペルハロアルキル基、シアノ基、およびニトロ基からなる群より独立して選択され、
Ｇ４は、水素、置換されていてもよいアリール基、置換されていてもよいヘテロアリール基、置換されていてもよいシクロアルキル基、置換されていてもよいシクロヘテロアルキル基、置換されていてもよいシクロヘテロアリール基、置換されていてもよいシクロアルケニル基、および‐Ｎ＝（ＣＲ５Ｒ６）からなる群より選択され、
Ｒ５およびＲ６は、水素、置換されていてもよいアルキル基、置換されていてもよいアリール基、置換されていてもよいヘテロアリール基、置換されていてもよいシクロアルキル基、置換されていてもよいシクロアルケニル基、および置換されていてもよいシクロヘテロアルキル基からなる群より独立して選択される］。
【請求項２】
以下からなる群より選択される構造式を有する、請求項１記載の化合物：
【化２】
2008518912.tif 000002
［式中、
Ｇ１は、‐（ＣＲ１Ｒ２）ｎ‐および‐（ＣＲ１Ｒ２）ｎＯ‐からなる群より選択され、
ｎは、０または１であり、
Ｒ１およびＲ２は、水素および低級アルキル基からなる群より独立して選択され、
Ｇ２は以下の構造を有し：
【化３】
2008518912.tif 000003
ここで、
Ｙ１およびＹ２はＮおよびＣ−Ｘ６からなる群より独立して選択され、
Ｘ１、Ｘ２およびＸ３は水素であり、
Ｘ４およびＸ５は、水素および低級アルキル基からなる群より独立して選択され、
ｐは、１、２、または３であり、
Ｗは‐ＣＸ４Ｘ５‐およびＮ−Ｘ７からなる群より選択され、
Ｘ６は水素、アルキル基、ヒロドキシ基、アルコキシ基、シアノ基、ハロゲン、低級ペルハロアルキル基およびＮＨ２からなる群から選択されるか、またはＸ６が隣接する炭素原子が隣接する環原子と二重結合を形成する場合はＸ６は存在せず、
Ｘ７は水素、アルキル基、ヒドロキシ基および低級ペルハロアルキル基からなる群より選択されるか、またはＸ７が隣接する窒素原子がＹ２と二重結合を形成する場合はＸ７は存在せず、
Ｇ３は、単結合および‐（ＣＲ３Ｒ４）ｍ‐からなる群より選択され、
Ｒ３およびＲ４は、水素および低級アルキル基からなる群より独立して選択される］。
【請求項３】
ｐが２であり、
ＷがＣＸ４Ｘ５であり、
Ｘ４およびＸ５が水素およびメチル基からなる群より独立して選択され、
Ｙ１がＮであり、
Ｇ１が‐（ＣＲ１Ｒ２）ｎ‐であり、
Ｒ１およびＲ２が共に水素であり、
Ｇ４が、ハロゲン、低級アルキル基、低級ペルハロアルキル基、低級ペルハロアルコキシ基またはモノもしくはジハロアルコキシ基により置換されていてもよいアリールまたはヘテロアリールである、請求項２記載の化合物。
【請求項４】
Ｇ３が単結合および‐（ＣＨ２）‐からなる群より選択され、
Ｇ４が、ハロゲン、低級アルキル基、低級ペルハロアルキル基、低級ペルハロアルコキシ基またはモノもしくはジハロアルコキシ基により単独または二重に置換されているフェニル基またはピリジニル基であり、
Ｙ２がＮである、請求項３記載の化合物。
【請求項５】
Ｘ４およびＸ５がメチルであり、ピペラジン環の２および６位に結合しており、
Ｇ４が、トリフルオロメチルおよびトリフルオロメトキシからなる群より選択される置換基によりパラ置換されたフェニル基である、請求項４記載の化合物。
【請求項６】
以下からなる群から選択される化合物またはその立体異性体：
【化４】
2008518912.tif 000004
【化５】
2008518912.tif 000005
【化６】
2008518912.tif 000006
【化７】
2008518912.tif 000007
【化８】
2008518912.tif 000008
【化９】
2008518912.tif 000009
【化１０】
2008518912.tif 000010
【化１１】
2008518912.tif 000011
【化１２】
2008518912.tif 000012
【化１３】
2008518912.tif 000013
【化１４】
2008518912.tif 000014
。
【請求項７】
（Ｓ）−４−［シス−２，６−ジメチル−４−（４−トリフルオロメトキシ−フェニル）−ピペラジン−１−スルホニル］−インダン−２−カルボン酸、および（Ｓ）−４−［シス−２，６−ジメチル−４−（４−トリフルオロメトキシ−ベンジル）−ピペラジン−１−スルホニル］−インダン−２−カルボン酸からなる群より選択される化合物またはその塩。
【請求項８】
（Ｓ）−４−［シス−２，６−ジメチル−４−（４−トリフルオロメトキシ−フェニル）−ピペラジン−１−スルホニル］−インダン−２−カルボン酸トシレート、および（Ｓ）−４−［シス−２，６−ジメチル−４−（４−トリフルオロメトキシ−ベンジル）−ピペラジン−１−スルホニル］−インダン−２−カルボン酸トシレートからなる群より選択される塩。
【請求項９】
請求項１〜８のいずれか記載の化合物とともに薬剤的に許容される担体を含む医薬組成物。
【手続補正書】
【提出日】平成20年10月15日(2008.10.15)
【手続補正１】
【補正対象書類名】特許請求の範囲
【補正対象項目名】全文
【補正方法】変更
【補正の内容】
【特許請求の範囲】
【請求項１】
鎮痛／解熱有効量のアセチルサリチル酸、アセトアミノフェンおよびカフェインと、鎮痛／解熱活性の鎮痛／解熱発現を速める量の少なくとも１種のアルカリ性物質(該アルカリ性物質は炭酸カルシウム、水酸化マグネシウム、炭酸マグネシウム、酸化マグネシウムおよびこれらの混合物から選択される)を含む、鎮痛／解熱組成物。
【請求項２】
該アルカリ性物質が炭酸カルシウムである、請求項１記載の組成物。
【請求項３】
該アルカリ性物質が炭酸カルシウムおよび水酸化マグネシウムの混合物である、請求項１記載の組成物。
【請求項４】
該アルカリ性物質が炭酸カルシウム、炭酸マグネシウムおよび酸化マグネシウムの混合物である、請求項１記載の組成物。
【請求項５】
アセチルサリチル酸、アセトアミノフェン、カフェイン、炭酸カルシウム、クエン酸、リン酸ナトリウム、およびデンプンから成る、請求項１記載の鎮痛／解熱組成物。
【請求項６】
水酸化マグネシウムをさらに含む、請求項５記載の鎮痛／解熱組成物。
【請求項７】
２５０mgのアセチルサリチル酸、２５０mgのアセトアミノフェン、６５mgのカフェイン、４３mgの炭酸カルシウム、７５mgの水酸化マグネシウム、５mgのクエン酸、および５mgのリン酸ナトリウムから成る、請求項１記載の鎮痛／解熱組成物。
【請求項８】
２５mg〜２.５ｇのアセチルサリチル酸、２５mg〜２ｇのアセトアミノフェン、５mg〜５００mgのカフェインおよび２５mg〜２.５ｇの少なくとも１種のアルカリ性物質(該アルカリ性物質は炭酸カルシウム、水酸化マグネシウム、炭酸マグネシウム、酸化マグネシウムおよびこれらの混合物から選択される)を含む、鎮痛／解熱単位投与形態。
【請求項９】
８１mg〜１ｇのアセチルサリチル酸、１００mg〜１ｇのアセトアミノフェン、１５mg〜２５０mgのカフェインおよび５０mg〜１ｇの少なくとも１種のアルカリ性物質(該アルカリ性物質は炭酸カルシウム、水酸化マグネシウム、炭酸マグネシウム、酸化マグネシウムおよびこれらの混合物から選択される)を含む、鎮痛／解熱単位投与形態。
【請求項１０】
１５０mg〜５００mgのアセチルサリチル酸、１５０mg〜５００mgのアセトアミノフェン、３０mg〜１５０mgのカフェインおよび７５mg〜５００mgの少なくとも１種のアルカリ性物質(該アルカリ性物質は炭酸カルシウム、水酸化マグネシウム、炭酸マグネシウム、酸化マグネシウムおよびこれらの混合物から選択される)を含む、鎮痛／解熱単位投与形態。
【請求項１１】
２５０mgのアスピリン、２５０mgのアセトアミノフェン、６５mgのカフェインおよび１００mg〜３００mgの少なくとも１種のアルカリ性物質(該アルカリ性物質は炭酸カルシウム、水酸化マグネシウム、炭酸マグネシウム、酸化マグネシウムおよびこれらの混合物から選択される)を含む、鎮痛／単位投与形態。
【手続補正２】
【補正対象書類名】明細書
【補正対象項目名】００２２
【補正方法】変更
【補正の内容】
【００２２】
用い得るアルカリ性物質の例は、一般的に胃酸を中和するために用いられる制酸剤または制酸剤の混合物、例えば炭酸カルシウム、炭酸マグネシウム、重炭酸ナトリウム、炭酸ナトリウム、重炭酸カリウム、水酸化アルミニウム、酸化アルミニウム、酸化マグネシウム、水酸化マグネシウム、三ケイ酸マグネシウム、グリシン酸アルミニウム、ジヒドロキシアルミニウム酢酸またはこれらの任意の混合物を含み得るが、これらに限定されない。
【手続補正３】
【補正対象書類名】明細書
【補正対象項目名】００２３
【補正方法】変更
【補正の内容】
【００２３】
一つの態様において、該アルカリ性物質は、炭酸カルシウム、水酸化マグネシウム、炭酸マグネシウム、酸化マグネシウム、およびこれらの混合物から選択される。
【手続補正書】
【提出日】平成20年10月21日(2008.10.21)
【手続補正１】
【補正対象書類名】特許請求の範囲
【補正対象項目名】全文
【補正方法】変更
【補正の内容】
【特許請求の範囲】
【請求項１】
式（Ｉ）
【化１】
2008518979.tif 000001
式中、ｎは、０、１、２または３であり、および
環Ａは、最大５個の水素原子がメチル基によって置換されている、シクロアルキル環を示し、および
式（Ｉ）で表される化合物の炭素原子の総数は、１１、１２、１３、１４、１５または１６個である、
で表される化合物。
【請求項２】
（１Ｒ＊，４Ｓ＊，５Ｓ＊，９Ｒ＊）−１−ヒドロキシ−１，４，７，７，９−ペンタメチルスピロ［４．５］デカン−２−オン、（１Ｒ＊，４Ｒ＊，５Ｓ＊，９Ｒ＊）−１−ヒドロキシ−１，４，７，７，９−ペンタメチルスピロ［４．５］デカン−２−オン、（１Ｒ＊，４Ｒ＊）−１−ヒドロキシ−１，４，７，７，９，９−ヘキサメチルスピロ［４．５］デカン−２−オン、（１Ｒ＊，４Ｓ＊，５ｒ＊，７Ｒ＊，９Ｓ＊）−１−ヒドロキシ−１，４，７，９−テトラメチルスピロ［４．５］デカン−２−オン、（１Ｒ＊，４Ｒ＊，５ｒ＊，７Ｒ＊，９Ｓ＊）−１−ヒドロキシ−１，４，７，９−テトラメチルスピロ［４．５］デカン−２−オン、および（１Ｒ＊，４Ｓ＊）−１−ヒドロキシ−１，４−ジメチルスピロ［４．６］ウンデカン−２−オンからなる群より選択される、請求項１に記載の化合物。
【請求項３】
請求項１または２において定義した化合物を含む、フレグランス組成物。 
【請求項４】
請求項１または２において定義した化合物を含む、フレグランス製品。
【手続補正書】
【提出日】平成20年8月5日(2008.8.5)
【手続補正１】
【補正対象書類名】特許請求の範囲
【補正対象項目名】請求項１３
【補正方法】変更
【補正の内容】
【請求項１３】
Ｈ−Ａｌａ−Ｐｒｏ−Ａｒｇ−Ａｒｇ−ＮＨ−ベンジル（配列番号３）。
【手続補正２】
【補正対象書類名】明細書
【補正対象項目名】０００４
【補正方法】変更
【補正の内容】
【０００４】
ＳＮＡＰ−２５のＮ末端アミノ酸配列（Ｈ−Ｇｌｕ−Ｇｌｕ−Ｍｅｔ−Ｇｌｎ−Ａｒｇ−Ａｒｇ−ＮＨ2）（配列番号１）はまた、シナプスにおけるＣａ++依存性神経伝達物質放出を阻害して、筋弛緩を導く（EP 1,180,524）。そこから開発した局所適用できる化合物Ａｃ−Ｇｌｕ−Ｇｌｕ−Ｍｅｔ−Ｇｌｎ−Ａｒｇ−Ａｒｇ−ＮＨ2（配列番号２）（「プロダクトＡ」）は、ボトックスより５０００倍作用が弱く、よって容易に投与することができ、そしてほとんど毒性がない。しかしその筋弛緩効果は、弱すぎかつ不定すぎて、満足な皺取り効果をあげられない。更に別の不都合は、その不充分なタンパク分解安定性である。
【手続補正３】
【補正対象書類名】明細書
【補正対象項目名】００２１
【補正方法】変更
【補正の内容】
【００２１】
本発明の特に好ましい化合物は、
−  Ｈ−Ａｌａ−Ｐｒｏ−Ａｒｇ−Ａｒｇ−ＮＨ−ベンジル（配列番号３）；
−  Ｈ−（β−Ａｌａ）−Ｐｒｏ−Ｄａｂ−ＮＨ−ベンジル；
−  Ｈ−Ｄａｐ−Ｐｒｏ−Ａｒｇ−ＮＨ−ベンジル；
−  Ｈ−Ａｌａ−Ｐｒｏ−Ａｒｇ−ＮＨ−（ＣＨ2）2−フェニル；
−  Ｈ−（β−Ａｌａ）−Ｐｒｏ−Ｇａｂ−ＮＨ−ベンジル；
−  Ｎ−［ビス（ジメチルアミノ）メチレン］−Ａｌａ−Ｐｒｏ−Ａｒｇ−ＮＨ−ベンジル；及びこれらの化合物の酸付加塩である。
【手続補正４】
【補正対象書類名】明細書
【補正対象項目名】００２４
【補正方法】変更
【補正の内容】
【００２４】
【表２】
2008518978.tif 000001
2008518978.tif 000002
化合物２５７は、配列番号３に相当する。
【手続補正５】
【補正対象書類名】明細書
【補正対象項目名】００３９
【補正方法】変更
【補正の内容】
【００３９】
本発明の調剤に使用するのに適したジペプチドは、カルノシン（β−Ａｌａ−Ｈｉｓ）を含み、そして適切なトリペプチドは、Ｇｌｙ−Ｈｉｓ−Ｌｙｓ、Ａｒｇ−Ｌｙｓ−Ａｒｇ及びＨｉｓ−Ｇｌｙ−Ｇｌｙを含むことを特徴とする。好ましいトリペプチド及びその誘導体は、バイオペプチドＣＬ（Biopeptide CL）（商標）（セデルマ（Sederma）（フランス）から市販されている１００ppmパルミトイル−Ｇｌｙ−Ｈｉｓ−Ｌｙｓ）として購入することができるパルミトイル−Ｇｌｙ−Ｈｉｓ−Ｌｙｓ、ペプチドＣＫ（Ａｒｇ−Ｌｙｓ−Ａｒｇ）、ペプチドＣＫ＋（Ａｃ−Ａｒｇ−Ｌｙｓ−Ａｒｇ−ＮＨ2）及びＧｌｙ−Ｈｉｓ−Ｌｙｓの銅錯体又はシグマ（Sigma）（セントルイス、ミズーリ州、米国）からラミン（lamine）として入手することができるＨｉｓ−Ｇｌｙ−Ｇｌｙを含む。本発明の調剤に使用するのに適したテトラペプチドは、ペプチドＥ、Ａｒｇ−Ｓｅｒ−Ａｒｇ−Ｌｙｓ（配列番号４）を含む。ペンタペプチドの例は、セデルマ（フランス）から入手できるマトリキシル（matrixyl）（パルミトイル−Ｌｙｓ−Ｔｈｒ−Ｔｈｒ−Ｌｙｓ−Ｓｅｒ）（配列番号５）、及びWO 03/037933に記述されているものである。本発明の組成物に使用するのに適したヘキサペプチドは、リポテック（Lipotec）（スペイン）により製造されているアルジルリン（argireline）（Ａｃ−Ｇｌｕ−Ｇｌｕ−Ｍｅｔ−Ｇｌｎ−Ａｒｇ−Ａｒｇ−ＮＨ2）（配列番号２）である。
【手続補正６】
【補正対象書類名】明細書
【補正対象項目名】００５０
【補正方法】変更
【補正の内容】
【００５０】
【表４】
2008518978.tif 000003
2008518978.tif 000004
化合物４．３は、配列番号３に相当する。
【手続補正書】
【提出日】平成20年10月6日(2008.10.6)
【手続補正１】
【補正対象書類名】特許請求の範囲
【補正対象項目名】全文
【補正方法】変更
【補正の内容】
【特許請求の範囲】
【請求項１】
哺乳動物における望ましくないＮＫＴ細胞活性化に伴う疾患を処置するための組成物であって、該組成物は、有効用量のＮＫＴ細胞抑制剤を含み、該薬剤が、抗原提示分子との相互作用を通してＮＫＴ細胞免疫機能を抑制することを特徴とする、組成物。
【請求項２】
前記疾患が全身性エリテマトーデスまたはその動物モデルである、請求項１に記載の組成物。
【請求項３】
前記疾患がアレルギー性疾患である、請求項１に記載の組成物。
【請求項４】
前記疾患が喘息である、請求項１に記載の組成物。
【請求項５】
前記哺乳動物がヒトである、請求項１に記載の組成物。
【請求項６】
前記哺乳動物がマウスである、請求項１に記載の組成物。
【請求項７】
前記ＮＫＴ細胞抑制剤が、一般構造：
Ｇ−Ｌ
を有する非活性化糖脂質であり、
式中Ｌは脂質であり、Ｇは糖である、請求項１に記載の組成物。
【請求項８】
前記糖と前記脂質との間の結合が、Ｏ原子のいずれかにおけるものであり得、アルファ配置またはベータ配置にある、請求項７に記載の組成物。
【請求項９】
Ｇがガラクトースである、請求項８に記載の組成物。
【請求項１０】
Ｌが、Ｃ８からＣ３０の脂肪酸、長鎖第二級アルコール、長鎖アミノアルコール、および長鎖ジ−またはトリヒドロキシ塩基を有する脂肪酸アミド類よりなる群から選択され、それらのいずれかが場合によってはリン酸化または硫酸化されている、請求項８に記載の組成物。
【請求項１１】
Ｌがセラミドである、請求項１０に記載の組成物。
【請求項１２】
前記ＮＫＴ細胞抑制剤がβ−ガラクトシルセラミドである、請求項１に記載の組成物。
【請求項１３】
喘息の処置における治療剤をスクリーニングする方法であって：
候補薬剤をＮＫＴ細胞と接触させてＮＫＴ細胞活性化を抑制する際の前記薬剤の有効性を決定することを含む方法。
【請求項１４】
全身性エリテマトーデスの処置における治療剤をスクリーニングする方法であって、該方法は、候補薬剤をＮＫＴ細胞と接触させてＮＫＴ細胞活性化を抑制する際の前記薬剤の有効性を決定することを含む、方法。
【請求項１５】
前記候補薬剤が、一般構造：
Ｇ−Ｌ
を有する非活性化糖脂質であり、
式中Ｌは脂質であり、Ｇは糖である、請求項１３および１４のいずれかに記載の方法。
【請求項１６】
前記糖と前記脂質との間の結合が、Ｏ原子のいずれかにおけるものであり得、アルファ配置またはベータ配置にある、請求項１５に記載の方法。
【請求項１７】
Ｇがガラクトースである、請求項１５に記載の方法。
【請求項１８】
Ｌが、Ｃ８からＣ３０の脂肪酸、長鎖第二級アルコール、長鎖アミノアルコール、および長鎖ジ−またはトリヒドロキシ塩基を有する脂肪酸アミド類よりなる群から選択され、それらのいずれかが場合によってはリン酸化または硫酸化されている、請求項１５に記載の方法。
【手続補正書】
【提出日】平成20年10月30日(2008.10.30)
【手続補正１】
【補正対象書類名】特許請求の範囲
【補正対象項目名】全文
【補正方法】変更
【補正の内容】
【特許請求の範囲】
【請求項１】
昆虫の電位作動型カルシウムチャネルにおけるカルシウム電流の約５０％以上および昆虫の高伝導カルシウム活性化カリウムチャネルの活性の約５０％以上を遮断することを特徴とする殺虫ポリペプチド。
【請求項２】
請求項１に記載の殺虫ポリペプチドであって、アトラクス（Ａｔｒａｘ）属またはハドロニュケ（Ｈａｄｒｏｎｙｃｈｅ）属のクモ毒成分であることを特徴とするポリペプチド。
【請求項３】
請求項１に記載の殺虫ポリペプチドであって、前記昆虫の電位作動型カルシウムチャネルが、ワモンゴキブリ（Ｐ．ａｍｅｒｉｃａｎａ）のＤＵＭニューロン由来のものであることを特徴とするポリペプチド。
【請求項４】
請求項１に記載の殺虫ポリペプチドであって、前記昆虫の高伝導カルシウム活性化カリウムチャネルが、ワモンゴキブリ（Ｐ．ａｍｅｒｉｃａｎａ）の高伝導カルシウム活性化カリウムチャネルを含むことを特徴とするポリペプチド。
【請求項５】
請求項１に記載の精製したポリペプチドであって、配列番号２と約７０％以上の同一性を有するアミノ酸配列を含み、殺虫活性を有することを特徴とするポリペプチド。
【請求項６】
請求項１に記載の精製したポリペプチドであって、配列番号２、６、９、１２、１５、１８、２１、２４および２７のいずれか１つを含むことを特徴とするポリペプチド。
【請求項７】
請求項６に記載の精製したポリペプチドであって、プロペプチド配列、シグナルペプチド配列、またはそれらの組合せをさらに含むことを特徴とするポリペプチド。
【請求項８】
殺虫に有効な量の、請求項１に記載の精製したポリペプチドと、農業的に許容し得る担体とを含むことを特徴とする殺虫組成物。
【請求項９】
配列番号２と約７０％以上の同一性を有するアミノ酸配列を含み、殺虫活性を有するポリペプチドをコードすることを特徴とする単離されたポリヌクレオチド。
【請求項１０】
請求項９に記載のポリヌクレオチドであって、配列番号２、６、９、１２、１５、１８、２１、２４および２７のいずれか１つを含むポリペプチドをコードすることを特徴とするポリヌクレオチド。
【請求項１１】
発現制御配列に作動可能に連結した、配列番号２、６、９、１２、１５、１８、２１、２４および２７のいずれか１つをコードするポリヌクレオチドを含むことを特徴とする発現ベクター。
【請求項１２】
発現制御配列に作動可能に連結した、配列番号２、６、９、１２、１５、１８、２１、２４および２７のいずれか１つをコードするポリヌクレオチドを含む発現ベクターを含むことを特徴とする宿主細胞。
【請求項１３】
配列番号２と約７０％以上の同一性を有するアミノ酸配列を含み、殺虫活性を有するポリペプチドをコードするポリヌクレオチドを含むことを特徴とする昆虫ウィルス。
【請求項１４】
昆虫、昆虫の幼虫、または植物を処理する方法であって、前記昆虫、昆虫の幼虫、または植物と、配列番号２と約７０％以上の同一性を有するアミノ酸配列を含み、殺虫活性を有するＵ−ＡＣＴＸポリペプチドの殺虫に有効な量とを接触させることを含むことを特徴とする方法。
【請求項１５】
請求項１４に記載の方法であって、前記Ｕ−ＡＣＴＸポリペプチドが、配列番号２、６、９、１２、１５、１８、２１、２４および２７のいずれか１つを含むことを特徴とする方法。
【請求項１６】
配列番号２と約７０％以上の同一性を有するアミノ酸配列を含み、殺虫活性を有するＵ−ＡＣＴＸポリペプチドを発現することを特徴とするトランスジェニック植物。
【請求項１７】
配列番号２と約７０％以上の同一性を有するアミノ酸配列を含み、殺虫活性を有するポリペプチドをコードするポリヌクレオチドを含むことを特徴とするトランスジェニック昆虫。
【請求項１８】
昆虫のチャネルに結合する試験化合物を選択する方法であって、
昆虫の電位作動型カルシウムチャネル、昆虫のカルシウム活性化カリウムチャネル、または前記昆虫のチャネルの１つ以上を含む組合せである昆虫のチャネルを提供すること、および、
配列番号２と約７０％以上の同一性を有し、かつ殺虫活性を有するＵ−ＡＣＴＸペプチドの前記昆虫のチャネルへの結合と、前記試験化合物が競合するかどうかを決定すること、または前記昆虫のチャネルに予め結合している、配列番号２と約７０％以上の同一性を有し、かつ殺虫活性を有するＵ−ＡＣＴＸペプチドの少なくとも一部を、前記試験化合物が遊離させるかどうかを決定すること、
を含むことを特徴とする方法。
【手続補正書】
【提出日】平成20年10月23日(2008.10.23)
【手続補正１】
【補正対象書類名】特許請求の範囲
【補正対象項目名】全文
【補正方法】変更
【補正の内容】
【特許請求の範囲】
【請求項１】
配列番号1に記載のアミノ酸配列、それらの生物学的に活性のある断片および類似体を含む精製、単離されたペプチド。
【請求項２】
環状であることを特徴とする請求項1に記載の精製、単離されたペプチド。
【請求項３】
少なくとも1個のメチオニン残基が酸化されていることを特徴とする請求項2に記載の精製、単離されたペプチド。
【請求項４】
cys-cysジスルフィド結合を有することを特徴とする請求項3に記載の精製、単離されたペプチド。
【請求項５】
培養細胞の培地から単離されたことを特徴とする請求項4に記載の精製、単離されたペプチド。
【請求項６】
化学合成されたことを特徴とする請求項4に記載の精製、単離されたペプチド。
【請求項７】
組換えによって生成されたことを特徴とする請求項4に記載の精製、単離されたペプチド。
【請求項８】
前記類似体が配列番号2に記載のアミノ酸配列を含むことを特徴とする請求項1に記載の精製、単離されたペプチド。
【請求項９】
配列番号1に記載のアミノ酸配列、それらの生物学的に活性のある断片および類似体を含む精製、単離されたペプチドならびに薬剤として許容される担体を含む、哺乳類の腫瘍を治療するための医薬製剤。
【請求項１０】
前記ペプチドが環状であることを特徴とする請求項9に記載の医薬製剤。
【請求項１１】
少なくとも1個のメチオニン残基が酸化されていることを特徴とする請求項10に記載の医薬製剤。
【請求項１２】
前記ペプチドがcys-cysジスルフィド結合を有することを特徴とする請求項11に記載の医薬製剤。
【請求項１３】
前記ペプチドが培養細胞の培地から単離されたことを特徴とする請求項12に記載の医薬製剤。
【請求項１４】
前記ペプチドが化学合成されたことを特徴とする請求項12に記載の医薬製剤。
【請求項１５】
前記ペプチドが組換えによって生成されたことを特徴とする請求項12に記載の医薬製剤。
【請求項１６】
前記類似体が配列番号2に記載のアミノ酸配列を含むことを特徴とする請求項9に記載の医薬製剤。
【請求項１７】
請求項1のペプチドをコードする単離された核酸およびそれらの配列保存変種。
【請求項１８】
請求項8または16の類似体をコードする単離された核酸およびそれらの配列保存変種。
【請求項１９】
配列番号3に記載のアミノ酸配列、それらの生物学的に活性のある断片および類似体を含む精製、単離されたペプチド。
【請求項２０】
培養細胞の調整培地から単離されたことを特徴とする請求項19に記載の精製、単離されたペプチド。
【請求項２１】
請求項19に記載のペプチドをコードする単離された核酸およびそれらの配列保存変種。
【請求項２２】
前記類似体が配列番号4に記載のアミノ酸配列を含むことを特徴とする請求項19に記載の精製、単離されたペプチド。
【手続補正書】
【提出日】平成20年11月6日(2008.11.6)
【手続補正１】
【補正対象書類名】特許請求の範囲
【補正対象項目名】全文
【補正方法】変更
【補正の内容】
【特許請求の範囲】
【請求項１】
ゲームを提供する装置であって、
ゲーム・クレジット値を示すデータを記憶するメモリと、
複数の入力端末の１つからの入力メッセージに応答し、ゲーム・クレジット値調節メッセージを供給する入力装置と、
前記ゲーム・クレジット値調節メッセージに応答して前記ゲーム・クレジット値を調節するコントローラと、
前記ゲーム・クレジット値の少なくとも一部分を賭け値として用いて前記ゲームを実行させるためにゲーム・トリガ・メッセージを生成するよう選択的に動作可能なゲーム・トリガ装置とを含む装置。
【請求項２】
請求項１記載の装置であって、前記ゲーム・クレジット値と、前記メモリに記憶された所定のゲーム・トリガ値とを比較する比較器を更に含んでおり、前記ゲーム・トリガ装置は、所定の比較基準が満たされた場合に、前記比較に応答して前記ゲーム・トリガ・メッセージを生成する装置。
【請求項３】
請求項１又は２に記載の装置であって、前記調節されたゲーム・クレジット値に応答し、賭け値としての前記調節されたゲーム・クレジット値によってプレイされた場合にそれぞれの考えられる賞金値を前記ゲームの複数の考えられる結果毎に設定する賞金設定装置を含む装置。
【請求項４】
請求項１乃至３の何れか一項に記載の装置であって、前記コントローラは、前記ゲ―ム・クレジット値調節メッセージに応答して前記ゲーム・クレジット値を増やし、前記ゲーム・トリガ装置は、前記調節されたゲーム・クレジット値がゲーム・トリガ値以上の場合に前記ゲーム・トリガ・メッセージを生成する装置。
【請求項５】
請求項１乃至４の何れか一項に記載の装置であって、前記入力メッセージから分け前情報を抽出し、前記ゲーム・クレジット値調節メッセージ内に前記分け前情報を含めるよう前記入力装置を適合させる装置。
【請求項６】
請求項１乃至５の何れか一項に記載の装置であって、前記入力端末が複数のゲーム機を含む装置。
【請求項７】
請求項６記載の装置であって、前記入力メッセージが、ゲーム機のユーザが前記ゲーム機にゲーム・クレジットを加えること、前記ゲーム機のユーザが前記ゲーム機上でゲームをプレイすること、及び、前記ゲーム機上で賞金が得られることのうちの少なくとも１つに応答して前記ゲーム機によって生成される装置。
【請求項８】
請求項６又は７に記載の装置であって、レギュラー・ゲーム及びボーナス・ゲームをプレイするようゲーム機を適合させており、前記ボーナス・ゲームが、前記ゲーム・トリガ・メッセージに応答して実行されるに過ぎない装置。
【請求項９】
請求項１乃至８の何れか一項に記載の装置であって、前記入力装置は、前記複数の入力端末からのそれぞれの入力メッセージに応答し、各入力メッセージはソース入力端末を識別し、前記ゲーム・トリガ・メッセージを、ゲーム・トリガ・メッセージの生成の基準を前記比較に満たさせた前記入力端末に送出するよう前記ゲーム・トリガ装置を適合させる装置。
【請求項１０】
ゲームを提供する方法であって、
ゲーム・クレジット値を示すデータを記憶する工程と、
複数の入力端末の１つから入力メッセージを受信し、それに応答してゲーム・クレジット値調節メッセージを供給する工程と、
前記ゲーム・クレジット値調節メッセージに応答して前記ゲーム・クレジット値を調節する工程と、
賭け値としての前記ゲーム・クレジット値の少なくとも一部分を用いて前記ゲームをゲーム端末に実行させるためにゲーム・トリガ・メッセージを生成する工程とを含む方法。
【請求項１１】
請求項１０記載の方法であって、所定のゲーム・トリガ値を記憶する工程、及び、前記ゲーム・クレジット値を前記ゲーム・トリガ値と比較する工程を含んでおり、所定の比較基準が満たされた場合に前記ゲーム・トリガ・メッセージが前記比較に応答して生成される方法。
【請求項１２】
請求項１０又は１１に記載の方法であって、賭け値としての前記調節されたゲーム・クレジット値によってプレイされた場合に前記ゲームのいくつかの考えられる結果毎にそれぞれの考えられる賞金値を設定する工程を含む方法。
【請求項１３】
請求項１０乃至１２の何れか一項に記載の方法であって、前記ゲーム・クレジット値を調節する工程は、前記ゲーム・クレジット値調節メッセージに応答して前記ゲーム・クレジット値を増やす工程を含み、前記ゲーム・トリガ・メッセージは、前記調節されたゲーム・クレジット値がゲーム・トリガ値以上の場合に生成される方法。
【請求項１４】
請求項１０乃至１３の何れか一項に記載の方法であって、前記入力メッセージから分け前情報を抽出する工程、及び、前記分け前情報を前記ゲーム・クレジット値調節メッセージに含める工程を含む方法。
【請求項１５】
請求項１０乃至１４の何れか一項に記載の方法であって、前記複数の入力端末が複数のゲーム機を含む方法。
【請求項１６】
請求項１５記載の方法であって、ゲーム機のユーザが前記ゲーム機にゲーム・クレジットを加えること、前記ゲーム機のユーザが前記ゲーム機上でゲームをプレイすること、及び、前記ゲーム機上で賞金が得られることのうちの少なくとも１つに応答して前記ゲーム機において前記入力メッセージが生成される工程を含む方法。
【請求項１７】
請求項１５又は１６に記載の方法であって、レギュラー・ゲーム及びボーナス・ゲームをプレイするようゲーム機を適合させており、前記ボーナス・ゲームが、前記ゲーム・トリガ・メッセージに応答して実行されるに過ぎない方法。
【請求項１８】
請求項１０乃至１７の何れか一項に記載の方法であって、前記複数の入力端末からそれぞれの入力メッセージを受信する工程であって、各入力メッセージがソース入力端末を識別する工程と、ゲーム・トリガ・メッセージの生成の基準を比較に充足させた、前記入力メッセージが受信された前記入力端末に前記ゲーム・トリガ・メッセージを送出する工程とを備える方法。
【手続補正書】
【提出日】平成20年10月20日(2008.10.20)
【手続補正１】
【補正対象書類名】特許請求の範囲
【補正対象項目名】全文
【補正方法】変更
【補正の内容】
【特許請求の範囲】
【請求項１】
(ａ)少なくとも１つのシリコーンエラストマー、および、(ｂ)少なくとも１つの抗微生物活性化合物を、均一に分布して含有する抗微生物組成物。
【請求項２】
少なくとも１つの抗微生物活性化合物が、キノロンまたはキノロンの生理学的に許容しうる塩である請求項１に記載の組成物。
【請求項３】
請求項１に記載の組成物を含有する造形品。
【請求項４】
請求項１に記載の組成物の製造方法であって、少なくとも１つのシリコーンエラストマーおよび少なくとも１つの抗微生物活性化合物を組合せ、該少なくとも１つの抗微生物活性化合物が組成物中に均一に分布するように混合することを含んでなる方法。
【手続補正２】
【補正対象書類名】明細書
【補正対象項目名】００１４
【補正方法】変更
【補正の内容】
【００１４】
ここに驚くべきことに、非常に小さい粒径(約３μｍ)を有する易水溶性の活性成分(例えば、塩酸シプロフロキサシンなど)を含有する本発明のシリコーンエラストマーが、数週間にわたり、カテーテル表面における細菌コロニー形成に対して非常に良好な活性をもたらすことがわかった。
即ち、本発明は、活性成分をシリコーンエラストマー中に０.１〜３０μｍ、好ましくは１〜２０μｍ、特に好ましくは２〜１５μｍ、特に好ましくは２〜１５μｍの粒径で導入してよいことを保証する。
本発明の対象およびその好ましい態様を列挙すれば、以下の通りである：
１．(ａ)少なくとも１つのシリコーンエラストマー、および、(ｂ)少なくとも１つの抗微生物活性化合物を、均一に分布して含有する抗微生物組成物；
２．少なくとも１つの抗微生物活性化合物が、キノロンまたはキノロンの生理学的に許容しうる塩である上記１に記載の組成物；
３．キノロンまたはキノロンの生理学的に許容しうる塩が、シプロフロキサシンまたはシプロフロキサシンの生理学的に許容しうる塩である上記２に記載の組成物；
４．上記１に記載の組成物を含有する造形品；
５．カテーテルである上記４に記載の造形品；
６．尿路カテーテルである上記５に記載の造形品；
７．中心静脈カテーテルである上記５に記載の造形品；
８．上記１に記載の組成物の製造方法であって、少なくとも１つのシリコーンエラストマーおよび少なくとも１つの抗微生物活性化合物を組合せ、該少なくとも１つの抗微生物活性化合物が組成物中に均一に分布するように混合することを含んでなる方法；
９．造形品の製造方法であって、上記１に記載の組成物を供し、該組成物を該造形品に造形することを含んでなる方法；
１０．上記６に記載の造形品を、その導入を必要としている患者の尿路に導入することを含んでなる方法；
１１．上記７に記載の造形品を、その導入を必要としている患者の静脈に導入することを含んでなる方法。
【手続補正書】
【提出日】平成20年10月3日(2008.10.3)
【手続補正１】
【補正対象書類名】特許請求の範囲
【補正対象項目名】全文
【補正方法】変更
【補正の内容】
【特許請求の範囲】
【請求項１】
外科用カテーテルであって、
近位端および遠位端を有しかつ長手方向軸を規定する細長カテーテル本体であって、該カテーテル本体は、第一の軸方向の管腔および第二の軸方向の管腔を有する、細長カテーテル本体；
第一のスタイレット部材であって、該第一のスタイレット部材は、該第一の軸方向の管腔内に延び、そして該第一の軸方向の管腔に対してスライド移動可能であり、該第一のスタイレット部材は、該カテーテル本体を越えて延びる遠位部分を備え、該第一のスタイレット部材の該遠位部分は、部材管腔を規定し、ガイドワイヤの受容および通過のための該部材管腔と連絡する第一および第二の開口部を有する、第一のスタイレット部材；ならびに
第二のスタイレット部材であって、該第二のスタイレット部材は、該第二の管腔内に延び、そして該第二の管腔に対してスライド移動可能であり、該第二のスタイレット部材は、該カテーテル本体の該遠位端を越えて延びる、第二のスタイレット部材、
を備える、カテーテル。
【請求項２】
前記第二のスタイレット部材が、前記第一のスタイレット部材の部材管腔から出るガイドワイヤの受容および通過のための通路を規定する、請求項１に記載のカテーテル。
【請求項３】
前記第一のスタイレット部材と前記第二のスタイレット部材とが、前記カテーテル本体の前記遠位端からテーパ状の構成で延びる、請求項２に記載のカテーテル。
【請求項４】
前記第一のスタイレット部材の前記遠位部分が、前記第二のスタイレット部材を越えて遠位方向に延びる、請求項１に記載のカテーテル。
【請求項５】
前記第二のスタイレット部材が、前記カテーテル本体を越えて延びる遠位部分を備え、該第二のスタイレット部材の該遠位部分は、部材管腔を規定し、前記第一のスタイレット部材の前記遠位部分から出るガイドワイヤの受容および通過のための該部材管腔と連絡する第一および第二の軸方向の間隔を空けた開口部を有する、請求項４に記載のカテーテル。
【請求項６】
前記カテーテル本体が、前記第二のスタイレット部材の前記遠位部分からでる前記ガイドワイヤの受容および通過のための第三の管腔を備える、請求項５に記載のカテーテル。
【請求項７】
前記第一のスタイレット部材の前記遠位部分の前記部材管腔を通る通過および前記第二のスタイレット部材の通過のために適合されたガイドワイヤを備える、請求項２に記載のカテーテル。
【請求項８】
前記第一のスタイレット部材および第二のスタイレット部材のうちの少なくとも一方が、前記ガイドワイヤの外径より小さい内径を有し、そして該ガイドワイヤが該少なくとも一方のスタイレット部材に挿入される場合、該内径が拡張して該ガイドワイヤを収容する、請求項１に記載のカテーテル。
【請求項９】
前記第一のスタイレット部材が、前記第一の管腔の内径と実質的に等しい外径を有し、そして前記第二のスタイレット部材が、前記第二の管腔の内径と実質的に等しい外径を有する、請求項１に記載のカテーテル。
【請求項１０】
前記第二のスタイレット部材が、前記カテーテル本体を超えて延びる遠位部分を備え、該第二のスタイレット部材が、前記第一のスタイレット部材の前記部材管腔内で少なくとも部分的に受容されるように適合されている、
【請求項１１】
前記カテーテル本体が、該カテーテル本体の遠位端に隣接したテーパ状の先端を備える、請求項１に記載のカテーテル。
【請求項１２】
前記テーパー状の先端が、前記カテーテル本体の近位部分のデュロメータより大きいデュロメータを有する材料から構成されている、請求項１２に記載のカテーテル。
【手続補正書】
【提出日】平成20年10月30日(2008.10.30)
【手続補正１】
【補正対象書類名】特許請求の範囲
【補正対象項目名】全文
【補正方法】変更
【補正の内容】
【特許請求の範囲】
【請求項１】
ヒト血小板の製造法であって、
(a)ヒト胚性幹細胞を、該細胞の造血系への分化に有利な条件下で培養する工程；
(b)造血系の細胞を巨核球へと培養する工程；
(c)巨核球を培養し、血小板を作出する工程；及び
(d)巨核球から血小板を回収する工程；
を含む製造法。
【請求項２】
工程(a)が、胚様体の形成を促進し、その後胚様体から造血細胞を選択的に回収することにより実行される、請求項1記載の方法。
【請求項３】
工程(a)が、ヒト胚性幹細胞とストロマ細胞との共培養により実行される、請求項1記載の方法。
【請求項４】
工程(b)が、工程(a)からの細胞を、トロンボポエチン、インターロイキン3、インターロイキン6、インターロイキン11及び幹細胞因子を含有する培地で培養することにより実行される、請求項1記載の方法。
【請求項５】
巨核球が、CD41、CD42a、CD42b、CD61、CD38、CD45(弱い)及びCD62Pについては陽性であるが、CD34、CD117、及びHLA-DRについては陰性である、請求項1記載の方法。
【請求項６】
請求項1記載の方法により作出された、ヒト血小板。
【請求項７】
血小板が、免疫グロブリン分子を含まない、請求項６記載のヒト血小板。
【請求項８】
in vitro培養物中で生成されたヒト血小板であって、凝固を開始するための生物学的活性があり、かつ、血液抗原及び血清構成成分を実質的に含まない、血小板。
【請求項９】
ヒト血小板アリコートであって、機能性ヒト血小板を含有し、該機能性ヒト血小板には免疫グロブリンが付着されない、アリコート。